【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
３次元（３Ｄ）ビデオデータをコーディングする方法であって、前記方法は、
前記３Ｄビデオデータのビデオブロックをコーディングするためのマージング候補の現在のリストを生成することを備え、ここにおいて、マージング候補の前記現在のリストの中のマージング候補の最大数は６に等しく、５個の双予測マージング候補を有するマージング候補のリストの中に異なる双予測マージング候補のリスト０とリスト１の動きベクトルの２０通りの可能な組合せが存在し、マージング候補の前記現在のリストを生成することは、
マージング候補の前記現在のリストの中に最初にあるいくつかのマージング候補が５個よりも少ないと決定すること、ここにおいて、０から１１までの組合せインデックスの各それぞれの値は、０から３までの値のそれぞれの予め定義された組合せに対応する、と、
マージング候補の前記現在のリストの中のマージング候補の数が５個よりも少ないと決定することに応答して、以下の条件：前記組合せインデックスの前記それぞれの値が、マージング候補の前記現在のリストの中に最初にあるマージング候補の前記数よりも１小さい数によって乗算されたマージング候補の前記現在のリストの中に最初にあるマージング候補の前記数に等しい、およびマージング候補の前記現在のリストが６個のマージング候補を有する、のうちの１つが真であるまで、０から１１までの前記組合せインデックスの各それぞれの値に関して、以下を実行することと：
マージング候補の前記現在のリストの中の第１のマージング候補がリスト０の動きベクトルを有するかどうか、およびマージング候補の前記現在のリストの中の第２のマージング候補がリスト１の動きベクトルを有するかどうか、を決定すること、ここにおいて、前記第１のマージング候補および前記第２のマージング候補が、前記組合せインデックスの前記それぞれの値に対応する値の前記予め定義された組合せによって示されるマージング候補の前記現在のリストの中での位置にある、と、
前記第１のマージング候補がリスト０の動きベクトルを有し、前記第２のマージング候補がリスト１の動きベクトルを有すると決定することに応答して、それぞれの結合双予測マージング候補を導出すること、ここにおいて、前記それぞれの結合双予測マージング候補は、前記第１のマージング候補の前記リスト０の動きベクトルと、前記第２のマージング候補の前記リスト１の動きベクトルとの組合せであり、前記第１のマージング候補の前記動きベクトルおよび前記第２のマージング候補の前記動きベクトルは、異なる参照ピクチャリストの中のピクチャを指す、と、
前記それぞれの結合双予測マージング候補を、マージング候補の前記現在のリストの中に含めることと、
を備える、方法。
【請求項２】
マージング候補の前記現在のリストを生成することは、
前記１つまたは複数の双予測マージング候補のいずれをもマージング候補の前記現在のリストに追加する前に、マージング候補の前記現在のリストの中に５個のマージング候補があると決定することに応答して、マージング候補の前記現在のリストの中にゼロ候補を含めることをさらに備え、ここにおいて、前記ゼロ候補の動きベクトル成分は０に等しく、前記ゼロ候補の参照インデックスは０に等しく、前記参照インデックスは参照ピクチャリストの中の参照ピクチャのロケーションを示す、
請求項１に記載の方法。
【請求項３】
マージング候補の前記現在のリストを生成することは、いかなる後方ワーピングビュー合成（ＢＶＳＰ）フラグも検査することなく行われる、請求項１に記載の方法。
【請求項４】
前記３Ｄビデオデータをコーディングする前記方法は、前記３Ｄビデオデータを復号する方法を備え、前記ビデオブロックは、予測ユニット（ＰＵ）であり、前記方法は、
マージング候補の前記現在のリストの中の選択されたマージング候補を示すシンタックス要素を、ビットストリームから取得することと、
前記ＰＵの予測サンプルを生成するために、前記選択された候補の動き情報を使用することと、
をさらに備える、請求項１に記載の方法。
【請求項５】
前記３Ｄビデオデータをコーディングする前記方法は、前記３Ｄビデオデータを符号化する方法を備え、前記方法は、
マージング候補の前記現在のリストの中のマージング候補を選択することと、
前記選択されたマージング候補の、マージング候補の前記現在のリストの中での位置をシグナリングすることと、
を備える、請求項１に記載の方法。
【請求項６】
マージング候補の前記現在のリストを生成することは、利用可能な場合、ビュー間予測動きベクトル候補（ＩＰＭＶＣ）をマージング候補の前記現在のリストの中に挿入した後、空間的マージング候補のための導出プロセスを実行した後、および時間的マージング候補のための導出プロセスを実行した後、前記１つまたは複数の結合双予測マージング候補を導出することを備え、
空間的マージング候補のための前記導出プロセスは、４個までの空間的動きベクトル候補を導出しマージング候補の前記現在のリストの中に挿入し、
前記時間的マージング候補のための前記導出プロセスは、利用可能な場合、時間的動きベクトル予測子（ＴＭＶＰ）候補をマージング候補の前記現在のリストに追加する、
請求項１に記載の方法。
【請求項７】
ビデオコーディングデバイスであって、
３次元（３Ｄ）ビデオデータを記憶するように構成されたデータ記憶媒体と、
１つまたは複数のプロセッサとを備え、前記１つまたは複数のプロセッサは、
前記３Ｄビデオデータのビデオブロックをコーディングするためのマージング候補の現在のリストを生成するように構成され、ここにおいて、マージング候補の前記現在のリストの中のマージング候補の最大数は６に等しく、５個の双予測マージング候補を有するマージング候補のリストの中に異なる双予測マージング候補のリスト０とリスト１の動きベクトルの２０通りの可能な組合せが存在し、マージング候補の前記現在のリストを生成することの一部として、前記１つまたは複数のプロセッサは、
マージング候補の前記現在のリストの中に最初にあるいくつかのマージング候補が５個よりも少ないと決定すること、ここにおいて、０から１１までの組合せインデックスの各それぞれの値は、０から３までの値のそれぞれの予め定義された組合せに対応する、と、
マージング候補の前記現在のリストの中のマージング候補の数が５個よりも少ないと決定することに応答して、以下の条件：前記組合せインデックスの前記それぞれの値が、マージング候補の前記現在のリストの中に最初にあるマージング候補の前記数よりも１小さい数によって乗算されたマージング候補の前記現在のリストの中に最初にあるマージング候補の前記数に等しい、およびマージング候補の前記現在のリストが６個のマージング候補を有する、のうちの１つが真であるまで、０から１１までの前記組合せインデックスの各それぞれの値に関して、以下を実行することと：
マージング候補の前記現在のリストの中の第１のマージング候補がリスト０の動きベクトルを有するかどうか、およびマージング候補の前記現在のリストの中の第２のマージング候補がリスト１の動きベクトルを有するかどうか、を決定すること、ここにおいて、前記第１のマージング候補および前記第２のマージング候補が、前記組合せインデックスの前記それぞれの値に対応する値の前記予め定義された組合せによって示されるマージング候補の前記現在のリストの中での位置にある、と、
前記第１のマージング候補がリスト０の動きベクトルを有し、前記第２のマージング候補がリスト１の動きベクトルを有すると決定することに応答して、それぞれの結合双予測マージング候補を導出すること、ここにおいて、前記それぞれの結合双予測マージング候補は、前記第１のマージング候補の前記リスト０の動きベクトルと、前記第２のマージング候補の前記リスト１の動きベクトルとの組合せであり、前記第１のマージング候補の前記動きベクトルおよび前記第２のマージング候補の前記動きベクトルは、異なる参照ピクチャリストの中のピクチャを指す、と、
前記それぞれの結合双予測マージング候補を、マージング候補の前記現在のリストの中に含めることと、
を行う、ビデオコーディングデバイス。
【請求項８】
マージング候補の前記現在のリストを生成することの一部として、前記１つまたは複数のプロセッサは、
前記１つまたは複数の双予測マージング候補のいずれをもマージング候補の前記現在のリストに追加する前に、マージング候補の前記現在のリストの中に５個のマージング候補があると決定することに応答して、マージング候補の前記現在のリストの中にゼロ候補を含め、ここにおいて、前記ゼロ候補の動きベクトル成分は０に等しく、前記ゼロ候補の参照インデックスは０に等しく、前記参照インデックスは参照ピクチャリストの中の参照ピクチャのロケーションを示す、
請求項７に記載のビデオコーディングデバイス。
【請求項９】
前記１つまたは複数のプロセッサは、マージング候補の前記現在のリストを、いかなる後方ワーピングビュー合成（ＢＶＳＰ）フラグも検査することなく生成する、請求項７に記載のビデオコーディングデバイス。
【請求項１０】
前記１つまたは複数のプロセッサは、前記３Ｄビデオデータを復号するように構成され、前記ビデオブロックは、予測ユニット（ＰＵ）であり、前記１つまたは複数のプロセッサは、
マージング候補の前記現在のリストの中の選択されたマージング候補を示すシンタックス要素を、ビットストリームから取得し、
前記ＰＵの予測サンプルを生成するために、前記選択された候補の動き情報を使用する、
ように構成される、請求項７に記載のビデオコーディングデバイス。
【請求項１１】
前記１つまたは複数のプロセッサは、前記３Ｄビデオデータを符号化するように構成され、前記１つまたは複数のプロセッサは、
マージング候補の前記現在のリストの中のマージング候補を選択し、
前記選択されたマージング候補の、マージング候補の前記現在のリストの中での位置をシグナリングする、
ように構成される、請求項７に記載のビデオコーディングデバイス。
【請求項１２】
前記１つまたは複数のプロセッサは、利用可能な場合、ビュー間予測動きベクトル候補（ＩＰＭＶＣ）をマージング候補の前記現在のリストの中に挿入した後、空間的マージング候補のための導出プロセスを実行した後、および時間的マージング候補のための導出プロセスを実行した後、前記１つまたは複数の結合双予測マージング候補を導出するように構成され、
空間的マージング候補のための前記導出プロセスは、４個までの空間的動きベクトル候補を導出しマージング候補の前記現在のリストの中に挿入し、
前記時間的マージング候補のための前記導出プロセスは、利用可能な場合、時間的動きベクトル予測子（ＴＭＶＰ）候補をマージング候補の前記現在のリストに追加する、
請求項７に記載のビデオコーディングデバイス。
【請求項１３】
３次元（３Ｄ）ビデオデータを記憶するための手段と、
前記３Ｄビデオデータのビデオブロックをコーディングするためのマージング候補の現在のリストを生成するための手段とを備え、ここにおいて、マージング候補の前記現在のリストの中のマージング候補の最大数は６に等しく、５個の双予測マージング候補を有するマージング候補のリストの中に異なる双予測マージング候補のリスト０とリスト１の動きベクトルの２０通りの可能な組合せが存在し、マージング候補の前記現在のリストを生成するための前記手段は、
マージング候補の前記現在のリストの中に最初にあるいくつかのマージング候補が５個よりも少ないと決定するための手段、ここにおいて、０から１１までの組合せインデックスの各それぞれの値は、０から３までの値のそれぞれの予め定義された組合せに対応する、と、
マージング候補の前記現在のリストの中のマージング候補の数が５個よりも少ないと決定することに応答して、以下の条件：前記組合せインデックスの前記それぞれの値が、マージング候補の前記現在のリストの中に最初にあるマージング候補の前記数よりも１小さい数によって乗算されたマージング候補の前記現在のリストの中に最初にあるマージング候補の前記数に等しい、およびマージング候補の前記現在のリストが６個のマージング候補を有する、のうちの１つが真であるまで、０から１１までの前記組合せインデックスの各それぞれの値に関して、以下を実行するための手段と：
マージング候補の前記現在のリストの中の第１のマージング候補がリスト０の動きベクトルを有するかどうか、およびマージング候補の前記現在のリストの中の第２のマージング候補がリスト１の動きベクトルを有するかどうか、を決定すること、ここにおいて、前記第１のマージング候補および前記第２のマージング候補が、前記組合せインデックスの前記それぞれの値に対応する値の前記予め定義された組合せによって示されるマージング候補の前記現在のリストの中での位置にある、と、
前記第１のマージング候補がリスト０の動きベクトルを有し、前記第２のマージング候補がリスト１の動きベクトルを有すると決定することに応答して、それぞれの結合双予測マージング候補、ここにおいて、前記それぞれの結合双予測マージング候補は、前記第１のマージング候補の前記リスト０の動きベクトルと、前記第２のマージング候補の前記リスト１の動きベクトルとの組合せであり、前記第１のマージング候補の前記動きベクトルおよび前記第２のマージング候補の前記動きベクトルは、異なる参照ピクチャリストの中のピクチャを指す、と、
前記それぞれの結合双予測マージング候補を、マージング候補の前記現在のリストの中に含めることと、
を備える、ビデオコーディングデバイス。
【請求項１４】
マージング候補の前記現在のリスト生成するための前記手段は、
前記１つまたは複数の双予測マージング候補のいずれをもマージング候補の前記現在のリストに追加する前に、マージング候補の前記現在のリストの中に５個のマージング候補があると決定することに応答して、マージング候補の前記現在のリストの中にゼロ候補を含めるための手段をさらに備え、ここにおいて、前記ゼロ候補の動きベクトル成分は０に等しく、前記ゼロ候補の参照インデックスは０に等しく、前記参照インデックスは参照ピクチャリストの中の参照ピクチャのロケーションを示す、
請求項１３に記載のビデオコーディングデバイス。
【請求項１５】
マージング候補の前記現在のリストを生成することは、いかなる後方ワーピングビュー合成（ＢＶＳＰ）フラグも検査することなく行われる、請求項１３に記載のビデオコーディングデバイス。
【請求項１６】
前記ビデオコーディングデバイスは、前記３Ｄビデオデータを復号し、前記ビデオブロックは、予測ユニット（ＰＵ）であり、前記ビデオコーディングデバイスは、
マージング候補の前記現在のリストの中の選択されたマージング候補を示すシンタックス要素を、ビットストリームから取得するための手段と、
前記ＰＵの予測サンプルを生成するために、前記選択された候補の動き情報を使用するための手段と、
をさらに備える、請求項１３に記載のビデオコーディングデバイス。
【請求項１７】
前記ビデオコーディングデバイスは、前記３Ｄビデオデータを符号化し、前記ビデオコーディングデバイスは、
マージング候補の前記現在のリストの中のマージング候補を選択するための手段と、
前記選択されたマージング候補の、マージング候補の前記現在のリストの中での位置をシグナリングするための手段と、
を備える、請求項１３に記載のビデオコーディングデバイス。
【請求項１８】
マージング候補の前記現在のリストを生成することは、利用可能な場合、ビュー間予測動きベクトル候補（ＩＰＭＶＣ）をマージング候補の前記現在のリストの中に挿入した後、空間的マージング候補のための導出プロセスを実行した後、および時間的マージング候補のための導出プロセスを実行した後、前記１つまたは複数の結合双予測マージング候補を導出することを備え、
空間的マージング候補のための前記導出プロセスは、４個までの空間的動きベクトル候補を導出しマージング候補の前記現在のリストの中に挿入し、
前記時間的マージング候補のための前記導出プロセスは、利用可能な場合、時間的動きベクトル予測子（ＴＭＶＰ）候補をマージング候補の前記現在のリストに追加する、
請求項１３に記載のビデオコーディングデバイス。
【請求項１９】
実行されたとき、ビデオコーディングデバイスに３次元（３Ｄ）ビデオデータをコーディングさせる、その上に記憶された命令を有する非一時的コンピュータ可読データ記憶媒体であって、前記命令は、前記ビデオコーディングデバイスに、
前記３Ｄビデオデータのビデオブロックをコーディングするためのマージング候補の現在のリストを生成させ、ここにおいて、マージング候補の前記現在のリストの中のマージング候補の最大数は６に等しく、５個の双予測マージング候補を有するマージング候補のリストの中に異なる双予測マージング候補のリスト０とリスト１の動きベクトルの２０通りの可能な組合せが存在し、前記１つまたは複数のプロセッサは、
マージング候補の前記現在のリストの中に最初にあるいくつかのマージング候補が５個よりも少ないと決定すること、ここにおいて、０から１１までの組合せインデックスの各それぞれの値は、０から３までの値のそれぞれの予め定義された組合せに対応する、と、
マージング候補の前記現在のリストの中のマージング候補の数が５個よりも少ないと決定することに応答して、以下の条件：前記組合せインデックスの前記それぞれの値が、マージング候補の前記現在のリストの中に最初にあるマージング候補の前記数よりも１小さい数によって乗算されたマージング候補の前記現在のリストの中に最初にあるマージング候補の前記数に等しい、およびマージング候補の前記現在のリストが６個のマージング候補を有する、のうちの１つが真であるまで、０から１１までの前記組合せインデックスの各それぞれの値に関して、以下を実行することと：
マージング候補の前記現在のリストの中の第１のマージング候補がリスト０の動きベクトルを有するかどうか、およびマージング候補の前記現在のリストの中の第２のマージング候補がリスト１の動きベクトルを有するかどうか、を決定することと、ここにおいて、前記第１のマージング候補および前記第２のマージング候補が、前記組合せインデックスの前記それぞれの値に対応する値の前記予め定義された組合せによって示されるマージング候補の前記現在のリストの中での位置にある、
前記第１のマージング候補がリスト０の動きベクトルを有し、前記第２のマージング候補がリスト１の動きベクトルを有すると決定することに応答して、それぞれの結合双予測マージング候補を導出すること、ここにおいて、前記それぞれの結合双予測マージング候補は、前記第１のマージング候補の前記リスト０の動きベクトルと、前記第２のマージング候補の前記リスト１の動きベクトルとの組合せであり、前記第１のマージング候補の前記動きベクトルおよび前記第２のマージング候補の前記動きベクトルは、異なる参照ピクチャリストの中のピクチャを指す、と、
前記それぞれの結合双予測マージング候補を、マージング候補の前記現在のリストの中に含めることと、
を備える、非一時的コンピュータ可読データ記憶媒体。
【請求項２０】
前記ビデオコーディングデバイスにマージング候補の前記現在のリストを生成させることの一部として、前記命令は、前記ビデオコーディングデバイスに、
前記１つまたは複数の双予測マージング候補のいずれをもマージング候補の前記現在のリストに追加する前に、マージング候補の前記現在のリストの中に５個のマージング候補があると決定することに応答して、マージング候補の前記現在のリストの中にゼロ候補を含めさせる、ここにおいて、前記ゼロ候補の動きベクトル成分は０に等しく、前記ゼロ候補の参照インデックスは０に等しく、前記参照インデックスは参照ピクチャリストの中の参照ピクチャのロケーションを示す、
請求項１９に記載の非一時的コンピュータ可読データ記憶媒体。
【請求項２１】
前記命令は、前記ビデオコーディングデバイスに、いかなる後方ワーピングビュー合成（ＢＶＳＰ）フラグも検査することなく、マージング候補の前記現在のリストを生成させる、請求項１９に記載の非一時的コンピュータ可読データ記憶媒体。
【請求項２２】
前記ビデオブロックは、予測ユニット（ＰＵ）であり、前記命令はさらに、前記ビデオコーディングデバイスに、
マージング候補の前記現在のリストの中の選択されたマージング候補を示すシンタックス要素を、ビットストリームから取得させ、
前記ＰＵの予測サンプルを生成するために、前記選択された候補の動き情報を使用させる、
請求項１９に記載の非一時的コンピュータ可読データ記憶媒体。
【請求項２３】
前記命令はさらに、前記ビデオコーディングデバイスに、
マージング候補の前記現在のリストの中のマージング候補を選択させ、
前記選択されたマージング候補の、マージング候補の前記現在のリストの中での位置をシグナリングさせる、
請求項１９に記載の非一時的コンピュータ可読データ記憶媒体。
【請求項２４】
前記命令は、前記ビデオコーディングデバイスに、利用可能な場合、ビュー間予測動きベクトル候補（ＩＰＭＶＣ）をマージング候補の前記現在のリストの中に挿入した後、空間的マージング候補のための導出プロセスを実行した後、および時間的マージング候補のための導出プロセスを実行した後、前記１つまたは複数の結合双予測マージング候補を導出させ、
ここにおいて、空間的マージング候補のための前記導出プロセスは、４個までの空間的動きベクトル候補を導出しマージング候補の前記現在のリストの中に挿入し、
ここにおいて、前記時間的マージング候補のための前記導出プロセスは、利用可能な場合、時間的動きベクトル予測子（ＴＭＶＰ）候補をマージング候補の前記現在のリストに追加する、
請求項１９に記載の非一時的コンピュータ可読データ記憶媒体。
【手続補正２】
【補正対象書類名】明細書
【補正対象項目名】０１９５
【補正方法】変更
【補正の内容】
【０１９５】
[0210]様々な例が、説明された。これらおよび他の例は、以下の特許請求の範囲に含まれる。
以下に、本願出願の当初の特許請求の範囲に記載された発明を付記する。
［Ｃ１］
３次元（３Ｄ）ビデオデータをコーディングする方法であって、前記方法は、
前記３Ｄビデオデータのビデオブロックをコーディングするためのマージング候補のリストを生成することを備え、ここにおいて、マージング候補の前記リストの中のマージング候補の最大数は６に等しく、マージング候補の前記リストを生成することは、
マージング候補の前記リストの中のいくつかのマージング候補が５個よりも少ないかどうかを決定することと、
マージング候補の前記リストの中のマージング候補の数が５個よりも少ないと決定することに応答して、
１つまたは複数の結合双予測マージング候補を導出すること、ここにおいて、前記１つまたは複数の結合双予測マージング候補の各それぞれの結合双予測マージング候補は、マージング候補の前記リストの中にすでにあるマージング候補のそれぞれのペアに対応し、前記それぞれの結合双予測マージング候補は、前記それぞれのペアの第１のマージング候補の動きベクトルと、前記それぞれのペアの第２のマージング候補の動きベクトルとの組合せであり、前記第１のマージング候補の前記動きベクトルおよび前記第２のマージング候補の前記動きベクトルは、異なる参照ピクチャリストの中のピクチャを指す、と、
前記１つまたは複数の結合双予測マージング候補を、マージング候補の前記リストの中に含めることと、
を備える、方法。
［Ｃ２］
マージング候補の前記リストを生成することは、
前記１つまたは複数の双予測マージング候補のいずれかをマージング候補の前記リストに追加する前に、マージング候補の前記リストの中に５個のマージング候補があると決定することに応答して、マージング候補の前記リストの中にゼロ候補を含めることをさらに備え、ここにおいて、前記ゼロ候補の動きベクトル成分は０に等しく、前記ゼロ候補の参照インデックスは０に等しく、前記参照インデックスは参照ピクチャリストの中の参照ピクチャのロケーションを示す、
Ｃ１に記載の方法。
［Ｃ３］
マージング候補の前記リストを生成することは、いかなる後方ワーピングビュー合成（ＢＶＳＰ）フラグも検査することなく行われる、Ｃ１に記載の方法。
［Ｃ４］
前記データをコーディングする前記方法は、前記３Ｄビデオデータを復号する方法を備え、前記ビデオブロックは、予測ユニット（ＰＵ）であり、前記方法は、
マージング候補の前記リストの中の選択されたマージング候補を示すシンタックス要素を、ビットストリームから取得することと、
前記ＰＵの予測サンプルを生成するために、前記選択された候補の動き情報を使用することと、
をさらに備える、Ｃ１に記載の方法。
［Ｃ５］
前記データをコーディングする前記方法は、前記３Ｄビデオデータを符号化する方法を備え、前記方法は、
マージング候補の前記リストの中のマージング候補を選択することと、
前記選択されたマージング候補の、マージング候補の前記リストの中での位置をシグナリングすることと、
を備える、Ｃ１に記載の方法。
［Ｃ６］
マージング候補の前記リストを生成することは、利用可能な場合、ビュー間予測動きベクトル候補（ＩＰＭＶＣ）をマージング候補の前記リストの中に挿入した後、空間的マージング候補のための導出プロセスを実行した後、および時間的マージング候補のための導出プロセスを実行した後、前記１つまたは複数の結合双予測マージング候補を導出することを備え、
空間的マージング候補のための前記導出プロセスは、４個までの空間的動きベクトル候補を導出しマージング候補の前記リストの中に挿入し、
前記時間的マージング候補のための前記導出プロセスは、利用可能な場合、時間的動きベクトル予測子（ＴＭＶＰ）候補をマージング候補の前記リストに追加する、
Ｃ１に記載の方法。
［Ｃ７］
ビデオコーディングデバイスであって、
３次元（３Ｄ）ビデオデータを記憶するように構成されたデータ記憶媒体と、
１つまたは複数のプロセッサとを備え、前記１つまたは複数のプロセッサは、
前記３Ｄビデオデータのビデオブロックをコーディングするためのマージング候補のリストを生成するように構成され、ここにおいて、マージング候補の前記リストの中のマージング候補の最大数は６に等しく、マージング候補の前記リストを生成することの一部として、前記１つまたは複数のプロセッサは、
マージング候補の前記リストの中のいくつかのマージング候補が５個よりも少ないかどうかを決定することと、
マージング候補の前記リストの中のマージング候補の数が５個よりも少ないと決定することに応答して、
１つまたは複数の結合双予測マージング候補を導出すること、ここにおいて、前記１つまたは複数の結合双予測マージング候補の各それぞれの結合双予測マージング候補は、マージング候補の前記リストの中にすでにあるマージング候補のそれぞれのペアに対応し、前記それぞれの結合双予測マージング候補は、前記それぞれのペアの第１のマージング候補の動きベクトルと、前記それぞれのペアの第２のマージング候補の動きベクトルとの組合せであり、前記第１のマージング候補の前記動きベクトルおよび前記第２のマージング候補の前記動きベクトルは、異なる参照ピクチャリストの中のピクチャを指す、と、
前記１つまたは複数の結合双予測マージング候補を、マージング候補の前記リストの中に含めることと、
を行う、ビデオコーディングデバイス。
［Ｃ８］
マージング候補の前記リストを生成することの一部として、前記１つまたは複数のプロセッサは、
前記１つまたは複数の双予測マージング候補のいずれかをマージング候補の前記リストに追加する前に、マージング候補の前記リストの中に５個のマージング候補があると決定することに応答して、マージング候補の前記リストの中にゼロ候補を含め、ここにおいて、前記ゼロ候補の動きベクトル成分は０に等しく、前記ゼロ候補の参照インデックスは０に等しく、前記参照インデックスは参照ピクチャリストの中の参照ピクチャのロケーションを示す、
Ｃ７に記載のビデオコーディングデバイス。
［Ｃ９］
前記１つまたは複数のプロセッサは、マージング候補の前記リストを、いかなる後方ワーピングビュー合成（ＢＶＳＰ）フラグも検査することなく生成する、Ｃ７に記載のビデオコーディングデバイス。
［Ｃ１０］
前記１つまたは複数のプロセッサは、前記３Ｄビデオデータを復号するように構成され、前記ビデオブロックは、予測ユニット（ＰＵ）であり、前記１つまたは複数のプロセッサは、
マージング候補の前記リストの中の選択されたマージング候補を示すシンタックス要素を、ビットストリームから取得し、
前記ＰＵの予測サンプルを生成するために、前記選択された候補の動き情報を使用する、
ように構成される、Ｃ７に記載のビデオコーディングデバイス。
［Ｃ１１］
前記１つまたは複数のプロセッサは、前記３Ｄビデオデータを符号化するように構成され、前記１つまたは複数のプロセッサは、
マージング候補の前記リストの中のマージング候補を選択し、
前記選択されたマージング候補の、マージング候補の前記リストの中での位置をシグナリングする、
ように構成される、Ｃ７に記載のビデオコーディングデバイス。
［Ｃ１２］
前記１つまたは複数のプロセッサは、利用可能な場合、ビュー間予測動きベクトル候補（ＩＰＭＶＣ）をマージング候補の前記リストの中に挿入した後、空間的マージング候補のための導出プロセスを実行した後、および時間的マージング候補のための導出プロセスを実行した後、前記１つまたは複数の結合双予測マージング候補を導出するように構成され、
空間的マージング候補のための前記導出プロセスは、４個までの空間的動きベクトル候補を導出しマージング候補の前記リストの中に挿入し、
前記時間的マージング候補のための前記導出プロセスは、利用可能な場合、時間的動きベクトル予測子（ＴＭＶＰ）候補をマージング候補の前記リストに追加する、
Ｃ７に記載のビデオコーディングデバイス。
［Ｃ１３］
３次元３Ｄビデオデータのビデオブロックをコーディングするためのマージング候補のリストを生成するための手段を備えるビデオコーディングデバイスであって、ここにおいて、マージング候補の前記リストの中のマージング候補の最大数は６に等しく、マージング候補の前記リストを生成するための前記手段は、
マージング候補の前記リストの中のいくつかのマージング候補が５個よりも少ないかどうかを決定するための手段と、
マージング候補の前記リストの中のマージング候補の数が５個よりも少ないと決定することに応答して、１つまたは複数の結合双予測マージング候補を導出するための手段、ここにおいて、前記１つまたは複数の結合双予測マージング候補の各それぞれの結合双予測マージング候補は、マージング候補の前記リストの中にすでにあるマージング候補のそれぞれのペアに対応し、前記それぞれの結合双予測マージング候補は、前記それぞれのペアの第１のマージング候補の動きベクトルと、前記それぞれのペアの第２のマージング候補の動きベクトルとの組合せであり、前記第１のマージング候補の前記動きベクトルおよび前記第２のマージング候補の前記動きベクトルは、異なる参照ピクチャリストの中のピクチャを指す、と、
前記１つまたは複数の結合双予測マージング候補を、マージング候補の前記リストの中に含めるための手段と、
を備える、ビデオコーディングデバイス。
［Ｃ１４］
マージング候補の前記リスト生成するための前記手段は、
前記１つまたは複数の双予測マージング候補のいずれかをマージング候補の前記リストに追加する前に、マージング候補の前記リストの中に５個のマージング候補があると決定することに応答して、マージング候補の前記リストの中にゼロ候補を含めるための手段をさらに備え、ここにおいて、前記ゼロ候補の動きベクトル成分は０に等しく、前記ゼロ候補の参照インデックスは０に等しく、前記参照インデックスは参照ピクチャリストの中の参照ピクチャのロケーションを示す、
Ｃ１３に記載のビデオコーディングデバイス。
［Ｃ１５］
マージング候補の前記リストを生成することは、いかなる後方ワーピングビュー合成（ＢＶＳＰ）フラグも検査することなく行われる、Ｃ１３に記載のビデオコーディングデバイス。
［Ｃ１６］
前記ビデオコーディングデバイスは、前記３Ｄビデオデータを復号し、前記ビデオブロックは、予測ユニット（ＰＵ）であり、前記ビデオコーディングデバイスは、
マージング候補の前記リストの中の選択されたマージング候補を示すシンタックス要素を、ビットストリームから取得するための手段と、
前記ＰＵの予測サンプルを生成するために、前記選択された候補の動き情報を使用するための手段と、
をさらに備える、Ｃ１３に記載のビデオコーディングデバイス。
［Ｃ１７］
前記ビデオコーディングデバイスは、前記３Ｄビデオデータを符号化し、前記ビデオコーディングデバイスは、
マージング候補の前記リストの中のマージング候補を選択するための手段と、
前記選択されたマージング候補の、マージング候補の前記リストの中での位置をシグナリングするための手段と、
を備える、Ｃ１３に記載のビデオコーディングデバイス。
［Ｃ１８］
マージング候補の前記リストを生成することは、利用可能な場合、ビュー間予測動きベクトル候補（ＩＰＭＶＣ）をマージング候補の前記リストの中に挿入した後、空間的マージング候補のための導出プロセスを実行した後、および時間的マージング候補のための導出プロセスを実行した後、前記１つまたは複数の結合双予測マージング候補を導出することを備え、
空間的マージング候補のための前記導出プロセスは、４個までの空間的動きベクトル候補を導出しマージング候補の前記リストの中に挿入し、
前記時間的マージング候補のための前記導出プロセスは、利用可能な場合、時間的動きベクトル予測子（ＴＭＶＰ）候補をマージング候補の前記リストに追加する、
Ｃ１３に記載のビデオコーディングデバイス。
［Ｃ１９］
実行されたとき、ビデオコーディングデバイスに３次元（３Ｄ）ビデオデータをコーディングさせる、その上に記憶された命令を有するコンピュータ可読データ記憶媒体であって、前記命令は、前記ビデオコーディングデバイスに、
前記３Ｄビデオデータのビデオブロックをコーディングするためのマージング候補のリストを生成させ、ここにおいて、マージング候補の前記リストの中のマージング候補の最大数は６に等しく、マージング候補の前記リストを生成することは、
マージング候補の前記リストの中のいくつかのマージング候補が５個よりも少ないかどうかを決定することと、
マージング候補の前記リストの中のマージング候補の数が５個よりも少ないと決定することに応答して、
１つまたは複数の結合双予測マージング候補を導出すること、ここにおいて、前記１つまたは複数の結合双予測マージング候補の各それぞれの結合双予測マージング候補は、マージング候補の前記リストの中にすでにあるマージング候補のそれぞれのペアに対応し、前記それぞれの結合双予測マージング候補は、前記それぞれのペアの第１のマージング候補の動きベクトルと、前記それぞれのペアの第２のマージング候補の動きベクトルとの組合せであり、前記第１のマージング候補の前記動きベクトルおよび前記第２のマージング候補の前記動きベクトルは、異なる参照ピクチャリストの中のピクチャを指す、と、
前記１つまたは複数の結合双予測マージング候補を、マージング候補の前記リストの中に含めることと、
を備える、コンピュータ可読データ記憶媒体。
［Ｃ２０］
マージング候補の前記リストを生成することは、
前記１つまたは複数の双予測マージング候補のいずれかをマージング候補の前記リストに追加する前に、マージング候補の前記リストの中に５個のマージング候補があると決定することに応答して、マージング候補の前記リストの中にゼロ候補を含めることをさらに備え、ここにおいて、前記ゼロ候補の動きベクトル成分は０に等しく、前記ゼロ候補の参照インデックスは０に等しく、前記参照インデックスは参照ピクチャリストの中の参照ピクチャのロケーションを示す、
Ｃ１９に記載のコンピュータ可読データ記憶媒体。
［Ｃ２１］
マージング候補の前記リストを生成することは、いかなる後方ワーピングビュー合成（ＢＶＳＰ）フラグも検査することなく行われる、Ｃ１９に記載のコンピュータ可読データ記憶媒体。
［Ｃ２２］
前記ビデオブロックは、予測ユニット（ＰＵ）であり、前記命令はさらに、前記ビデオコーディングデバイスに、
マージング候補の前記リストの中の選択されたマージング候補を示すシンタックス要素を、ビットストリームから取得させ、
前記ＰＵの予測サンプルを生成するために、前記選択された候補の動き情報を使用させる、
Ｃ１９に記載のコンピュータ可読データ記憶媒体。
［Ｃ２３］
前記命令はさらに、前記ビデオコーディングデバイスに、
マージング候補の前記リストの中のマージング候補を選択させ、
前記選択されたマージング候補の、マージング候補の前記リストの中での位置をシグナリングさせる、
Ｃ１９に記載のコンピュータ可読データ記憶媒体。
［Ｃ２４］
前記命令は、前記ビデオコーディングデバイスに、利用可能な場合、ビュー間予測動きベクトル候補（ＩＰＭＶＣ）をマージング候補の前記リストの中に挿入した後、空間的マージング候補のための導出プロセスを実行した後、および時間的マージング候補のための導出プロセスを実行した後、前記１つまたは複数の結合双予測マージング候補を導出させ、
ここにおいて、空間的マージング候補のための前記導出プロセスは、４個までの空間的動きベクトル候補を導出しマージング候補の前記リストの中に挿入し、
ここにおいて、前記時間的マージング候補のための前記導出プロセスは、利用可能な場合、時間的動きベクトル予測子（ＴＭＶＰ）候補をマージング候補の前記リストに追加する、
Ｃ１９に記載のコンピュータ可読データ記憶媒体。